(57)【要約】【課題】  本発明によれば、排水口部に網かごを取り付けるための段部を有していないため、シンクの清掃を簡単に行うことができる。【解決手段】  本発明では、底面に開口部を備えたシンク本体と、前記開口部と接続される第一開口部と、他端に第ニ開口部とを備え、前記第一開口部と第ニ開口部とを連通する連通部とを有する排水口部と、前記排水口部に着脱自在に設けられる捕集部材と、からなるシンクであって、前記連通部は、第ニ開口部に向かって下方に窄まる形状であり、前記捕集部材は、捕集部本体と、前記捕集部本体の上縁に位置する上縁部とを備え、前記上縁部は、前記連通部と当接することを特徴とするシンクが提供される。【選択図】  図２
2008274598.tif 000002
【特許請求の範囲】
【請求項１】
底面に開口部を備えたシンク本体と、
前記開口部と接続される第一開口部と、他端に第ニ開口部とを備え、前記第一開口部と第ニ開口部とを連通する連通部とを有する排水口部と、
前記排水口部に着脱自在に設けられる捕集部材と、
からなるシンクであって、
前記連通部は、第ニ開口部に向かって下方に窄まる形状であり、
前記捕集部材は、捕集部本体と、前記捕集部本体の上縁に位置する上縁部とを備え、
前記上縁部は、前記連通部と当接することを特徴とするシンク。
【請求項２】
前記捕集部材は、
前記捕集部材が傾いた際に、前記排水口部と当接する突出部を備えた
ことを特徴とする請求項１に記載のシンク。
【請求項３】
前記突出部は、
前記捕集部材が前記排水口部に取り付けられた取り付け状態において、
前記排水口部と離間していることを特徴とする請求項１または２に記載のシンク。
【発明の詳細な説明】
【技術分野】
【０００１】
本発明は、シンクに係り、特に清掃に好適なシンクに関する発明である。  
【背景技術】
【０００２】
従来のシンクにおいて、排水口より流入する塵芥を捕集するために、網カゴ等の捕集部材を備えることは、既に開示がある。
【０００３】
例えば、特許文献１のように、水槽底面に排水口を設け、排水口にごみ収納装置を配設し、この排水装置内に周壁に多数の通水部を設け、上部に投入用開口部を設けたごみかご本体を設けているものがあった。
【０００４】
また、特許文献２のように、流し台のシンクの底部に装着孔を設け、該装着孔に開口縁部に周鍔部を有する開口容器状の排水容器体を設け、該排水容器体内にかご体を着脱自在に設けるものも既に開示がある。
一方本出願人は、ゴミ受け用のストレーナーを有するシンクを開示している（例えば特許文献３）。
【特許文献１】特開平５−７１１５５
【特許文献２】特開２００２−１３１７５
【特許文献３】特開平１１−３２４０４７
【発明の開示】
【発明が解決しようとする課題】
【０００５】
しかし、特許文献１のごみかご本体は、水槽底面に設けられた段部に引っかかる形で設けられている。そのため、この段部に塵芥等が蓄積してしまい、非衛生的である。また、水槽の清掃の際にも、段部の奥まった部分を清掃するのに手間がかかってしまう。
【０００６】
しかし、特許文献２においても、かご体は排水容器に設けられた段部に取り付けられている。この場合も、段部への塵芥等の蓄積や、段部の清掃性の悪さは改善されていない。    
【０００７】
本発明は、上記問題を解決するためになされたものである。
【課題を解決するための手段】
【０００８】
上記目的を達成するために請求項１記載の発明によれば、底面に開口部を備えたシンク本体と、前記開口部と接続される第一開口部と、他端に第ニ開口部とを備え、前記第一開口部と第ニ開口部とを連通する連通部とを有する排水口部と、前記排水口部に着脱自在に設けられる捕集部材と、からなるシンクであって、前記連通部は、第ニ開口部に向かって下方に窄まる形状であり、前記捕集部材は、捕集部本体と、前記捕集部本体の上縁に位置する上縁部とを備え、前記上縁部は、前記連通部と当接することを特徴とするシンクが提供される。
【発明の効果】
【０００９】
本発明によれば、排水口部に網かごを取り付けるための段部を有していないため、シンクの清掃を簡単に行うことができる。
【発明を実施するための最良の形態】
【００１０】
以下、添付図面を参照し、本発明にかかるシンクについて説明する。
図１は、本発明にかかるシンクを備えたキッチンの斜視図である。キッチン１０は、キャビネット１５と、その上方に位置するカウンタ２０、シンク本体４０と排水口部５０と排水口部５０に取り付けられた捕集部材である網かご７０とよりなるシンク２５とを備えている。また、シンク２５の奥側（図１のＹ方向）の壁面の上方には水栓３０が設けられており、シンク本体４０の底面４１の奥側には、上面が開口した開口部４２が設けられている。排水口部５０は、上面に設けられた第一開口部５１と、下面に設けられた第ニ開口部である排水口５２と、第一開口部５１と排水口５２とを連通する連通部５３とよりなっており、開口部４２には、排水口部５０の第一開口部５１が接続されている。本実施例においては、シンク本体４０と排水口部５０とは一体的に設けられている。本実施例においては、シンク本体４０の底面４１は、排水口部５０に向かって緩やかに傾斜した、水の流れやすい形状となっている。排水口部５０には、塵芥等を捕集するための補集部材である網かご７０が着脱自在に設けられる。本実施例における図１乃至図３は、網かご７０が取り付けられた取り付け状態における図である。
【００１１】
図２、本発明にかかるシンクの側面図である。
排水口部５０において第一開口部５１と第ニ開口部である排水口５２とを連通する連通部５３の手前側（図１のＸ方向）は、シンク２５の奥側下方に向けて傾斜した傾斜部５４となっている。すなわち、排水口部５０の連通部５３は、第ニ開口部である排水口５２に向かって下方に窄まった形状となっている。本実施例の排水口部５０は、傾斜部５４の下方に垂直な垂直部５５を有している。そして、垂直部５５の下方には水平な排水口部５０の底面が備わっており、その底面には排水管６０が接続されている。より詳細には、排水口部５０の底面に、排水管６０の上縁に設けられたフランジ６１が、ネジ（図示しない）によって接続されている。排水口部５０は、連通部５３の第一開口部５１の上端が、シンク本体４０の底面に設けられた開口部４２の下方に接続されている。排水口部５０の傾斜部５４は、シンク本体４０の底面と一体的に接続されており、傾斜部５４は凹凸のない略面一な面となっている。すなわち、シンク本体４０を手前側から見た際、奥側に緩やかに傾斜した底面４１は、排水口部５０の手前側の端部、すなわち開口部４２と連通部５３との接続された部分の手前側から、更に奥側下方に向けて傾斜した連通部５３の傾斜部５４へと繋がっており、傾斜部５４の下方に位置する排水口部５０の底面には、排水管６０が接続されている。  
【００１２】
図３は、本発明にかかるシンク本体４０の要部である排水口部５０の側面詳細図である。
シンク本体４０の排水口部５０には捕集部材である網かご６０が設けられている。網かご７０は、その上縁の開口部全周にわたって、上縁部である口金部７１を備えている。口金部７１は、排水口部５０の連通部５３の一部と、略同一の形状となっており、網かご７０は口金部７１の口金端部７５と排水口部５０の連通部５３とが当接することによって保持されている。網かご７０の口金部７１の外周は、排水口部５０の内周と略同一の形状をしているおり、網かご７０は排水管６０の上方に位置するよう設けられている。また、網かご７０の底面には、網かご７１の外側に突出した突出部として、脚部７２が備えられている。
【００１３】
図４は、本発明にかかる網かご７０の詳細図である。
本実施例において、捕集部材である網かご７０は、捕集部本体として通水性を有する網状の部材によって底面および側面を成した上面開口の略器状に設けられた網部７３、網かご７０の上縁の全周に、外側に向けて鍔状に設けられた口金部７１、網部７３の底面に設けられた通水穴７４、網かご７０外側に突出した突出部である脚部７２、網かご７０を排水口部５０より取り外す際に使用者が網かご７０を上に引き上げるのに使用する把手部７６を備えている。すなわち、捕集部材である網かご７０は、捕集部本体であり通水穴７４を有する網部７３、そして網かご７０の外側に突出する突出部としての脚部７１を備えている。本実施例において、網かご７０の脚部７２は、４方向にそれぞれ突出するよう設けられており、線状の部材によって一体的に成形されている。なお、本実施例における網かご７０はステンレス製であり、網かご７０と脚部７２は溶接されている。本実施例において網かご７０と脚部７２とは別体で形成されているが、一体的に形成されてもよい。
【００１４】
次に、本実施例における、網かご７０の取り付け方法について説明する。
網かご７０は、排水口部５０に着脱自在に設けられる。網かご７０は、シンク本体４０の上方より、開口部４２を通じて、排水口部５０に網かご７０を落としこむことで取り付けられる。この際、網かご７０の上縁に位置する上縁部である口金部７１の外周が、シンク本体４０の排水口部５０の内周と略同一形状であるため、口金部７２の口金端部７５と排水口部５０の連通部５３とが当接することで、網かご７０が排水口部５０に保持されることとなる。図２で見ると、口金部７１の口金端部７５の手前側は排水口部５０の連通部５３に設けられた傾斜部５４に、口金部７１の奥側は排水口部５０の連通部５３の奥側である垂直な部分に当接しており、図示はしないが、網かご７１の前後及び左右方向を含む口金部７１の口金端部７５の全周が排水口部５０に当接することによって、網かご７０が排水口部５０に保持されている。なお排水口部５０に保持された網かご７０の上面は、水平となるよう保持されている。従来技術に開示されているような、捕集部材を取り付けるための段部が設けられておらず、シンク本体４０の底面４１に設けられた開口部４２から排水口部５０の第一開口部５１とは連続して接続されており、そこから更に奥側下方へと傾斜する傾斜部５４を有する連通部５３へと続き、連通部５３の排水口５２に、排水管６０が接続されている。そのため、段部がある際の不具合である段部への塵芥の蓄積や清掃性の悪さを生じることがない。シンク本体４０をスポンジ等の清掃用具によって清掃する際、清掃者は、まず網かご７０を外し、その後スポンジ等でシンク本体４０および排水口部５０をこするだけで排水口部５０を清掃することができるため、清掃作業を非常に簡単に行うことができる。
このように網かご７０をシンク本体４０に取り付けることにより、網かご７０は排水管６０の上方に位置することとなる。シンク本体４０内に生じた塵芥等はシンク本体４０内に水を流すと、その水によって排水管６０に向かって流される。塵芥等はシンク本体４０の底部４２の傾斜に沿って排水管６０に向かい、排水口部５０の連通部５３を通じて排水管６０に流れ込む。排水口部５０には網かご７０が設けられているため、塵芥は網かご７０に捕集され、排水管６０に流れ込むことはない。より詳細には、排水口部５０を通じて流れ込む塵芥等は、排水口部５０の連通部５３と口金部７１の端部である口金端部７５が全周にわたって隙間なく当接しているため、塵芥等が網かご７０の下方、すなわち排水管６０に流れ込むことはない。そのため、塵芥等によって排水管６０が詰まるなどの不具合が防止でき、更には排水口部５０が汚れることもなく、清潔にシンク本体４０を使用することができる。なお、網かご７０を取り外す際には、使用者は網かご７０の口金部７１に、網かご７０の内側に向けて設けられた把手部７６を掴み、網かご７０を取り外すことができる。これにより、網かご７０を必要以上に触らずとも取り外せるため衛生的であり、簡単に網かご７０を取り外せることで利便性は更に高まることとなる。
【００１５】
本発明において、網かご７０には突出部が設けられていることが好ましい。本実施例においては、網かご７０には突出部である脚部７２が、排水口部５０に向けて外側に突出するよう設けられている。水が流れ込む際の衝撃やキッチン１０の使用者による接触等によって網かご７０に力が加わった場合、網かご７０は口金部７１の口金端部７５と排水口部５０との当接によって保持されているが、網かご７０が傾いてしまう恐れがある。すなわち、口金部７１の口金端部７５と排水口部５０との隙間なく当接することによって、網かご７０が排水管６０の上方に塵芥等と捕集できるよう適切に設置された取り付け状態から、衝撃等による傾きや外れなどを生じる恐れがある。また、その傾きによって網かご７０と排水口部５０とが衝突して音が鳴ったり、口金部７１の口金端部７５と排水口部５０との当接に隙間が生じる恐れがある。その場合、排水管６０に向かって流れ込む塵芥等が網かご７０に捕集されず、排水管６０にそのまま流れ込んでしまう。排水管６０の塵芥等が流れ込んでしまうと、汚れや詰まりの原因となってしまうため、好ましくない。網かご７０が傾く際、脚部７２を設けていると、排水口部５０と脚部７２とが当接することにより、網かご７０のガタツキを防止することができる。衝撃等によって網かご７０が傾こうとした際、網かご７０に設けられた脚部７２が排水口部５０と当接することによって、網かご７０はそれ以上動くことを抑制され、網かご７０は排水管６０の上方に適切に位置し続ける。それにより、網かご７０の口金部６０と排水口部５０との間に隙間を生じることがなく、塵芥が排水口に流れ込むこともない。また本実施例において、脚部７２は網かご７０から排水口部５０に向かって突出しており、それぞれの脚部７２が排水口部５０に対向するよう設けられている。これにより、様々な角度からの衝撃による網かご７０の傾くことを抑制することができるため、更に使い勝手が向上することとなる。
【００１６】
また、本実施例において、脚部７２は網かご７０の外側に突出した形状となっている。より詳細には、排水口部５０の傾斜部５４の下方が垂直な垂直部５５となっているが、その垂直部５５に向かって脚部７２が設けられている。排水口部５０に垂直部５５が設けられていない場合、あるいは脚部７２が排水口部５０の底面に載置するように設けられた場合においても、網かご７０が傾こうとした際に脚部７２が排水口部５０と当接するように脚部７２を設けることで、網かご７０の傾きを防止することができる。
【００１７】
なお、本実施例において、脚部７２と排水口部５０と間には、隙間が設けられている。脚部７２あるいは排水口部５０において寸法誤差が生じた場合、脚部７２と排水口部５０とが、口金部７１と排水口部５０との当接を妨げてしまう恐れがある。例えば、脚部７２の網かご７０から脚部７２の端部までの寸法が規定の値よりも長くなっていた場合、脚部７２が排水口部５０とが当接すると、網かご７０は適切な位置よりも上方に位置する、あるいは傾いた状態となり、排水口部５０と口金部７１との間に隙間が生じてしまう。その場合、排水口部５０と口金部７１との間に生じた間隙から塵芥等が排水管６０に直接流れ込んでしまって詰まる等という、寸法誤差によって網かご７０が適切に塵芥等を捕集できない不具合を生じる恐れがある。排水口部５０と脚部７２の排水口部５０に最も近い点、すなわち網かご７０が傾こうとする際に、脚部７２において排水口部５０と当接する部分との間に隙間を設けることで、寸法誤差を吸収できるため、脚部７２や排水口部５０等に寸法誤差が生じた際にも網かご７０に適切に塵芥等を捕集することができる。これにより、多少の寸法誤差があっても問題なく使用できるため、生産性が向上することとなる。この隙間は、本実施例においては１．７ｍｍを基準とし、最低でも０．１ｍｍ設けることが望ましい。そうすることにより、寸法誤差を吸収しつつ、網かご７０が傾きを生じようとした際にも、脚部７２と排水口部５０とが当接することによって網かご７０の傾きによって生じる不具合を防止することができる。
【００１８】
以上、図面を用いて本実施例の説明を行ったが、本発明はこれに限定するものではない。例えば、シンク本体４０の底面４１に設けられた開口部４２と、排水口部５０の連通部５３の第一開口部５１との接続部分は角状をなしているが、この部分をなだらかなＲ形状としてもよい（図５）。また、突出部である脚部７２は網かご７０の底部に設けられているが、網かご７０の底部ではなく側面部に設けられてもよい。すなわち、脚部７２は、網かご７０が傾こうとした際に、排水口部５０と当接して網かご７０の傾きを規制するよう設けられていればよい。また、突出部の形状においても、本実施例の線状以外の形状として、突起状のものであってもよい。また、排水口部５０の連通部５３の形状においても、奥側も含めて排水口５２に向かって窄まった形状にしてもよいし、垂直部５５を設けず排水口５０まで傾斜部５４が連続した形としてもよい。さらに、捕集部材の種類や材質においても、網状ではなく通水用の隙間を設けたものなどでもよい。また、本実施例においては、シンク本体４０の底面４１の開口部４２に排水口部５０が直接接続された形となっているが、底面４１と排水口部５０との間に、例えば下方に向けてすぼまった形状の中間部材を介在し、底面４１と排水口部５０の第一開口部５１とを直接接続しないような場合においても、本発明の要旨を有する限りは本発明の範囲に含まれる。その他、本発明の要旨を変更しない範囲において適宜設計変更して採用したものも、本発明の要旨を有する限りにおいて本発明の範囲に包含される。
【図面の簡単な説明】
【００１９】
【図１】本発明にかかるシンクを備えたキッチンの斜視図
【図２】本発明にかかるシンクの側面図である。
【図３】本発明にかかる排水口部の側面詳細図である。
【図４】本発明にかかる網かごの詳細図である。
【図５】本発明にかかるシンクの別の実施例における図である。
【符号の説明】
【００２０】
１０  キッチン
１５  キャビネット
２０  カウンタ
２５  シンク
３０  水栓
４０  シンク本体
４１  底面
４２  開口部
５０  排水口部
５１  第一開口部
５２  排水口
５３  連通部
５４  傾斜部
５５  垂直部
６０  排水管
６１  フランジ
７０  網かご
７１  口金部
７２  脚部
７３  網部
７４  通水穴
７５  口金端部
【図１】
2008274598.tif 000003
【図２】
2008274598.tif 000004
【図３】
2008274598.tif 000005
【図４】
2008274598.tif 000006
【図５】
2008274598.tif 000007